(57)【要約】【課題】本発明は、自動車の前面窓を内側から覆う日除けである。従来品は使用回数が増すと吸盤の脱落、離反が起こり、埃等の汚れで取り付け不可能となる。日除けの上端部中央が凹み、又、折り目が確りと伸びない。そのため、着脱に手間取り、遮光が不十分である。  依って、その着脱を容易にし、遮光密度をより高めた自動車の前面窓を覆う日除けを提供する。【手段】日除けの上端部中央にバックミラーを避けて越させる切れ込み（開き窓）を設ける。別作りの開き窓カバーで切れ込み部分を覆い、日除け本体の上端を窓枠の端に沿わす。その部分を左右の可動式遮光版で抑えて支える。【選択図】図６
2008207778.tif 000002
【特許請求の範囲】
【請求項１】
折りたたみ式日除け本体の上部中央にガラス面の上端からバックミラーの下辺部を越す縦長とその左右幅を上回る横幅の切れ込み（開き窓）を設ける。別に設けた開き窓カバーを切れ込み部分に覆う。覆われた本体の上端部左右に可動式遮光板を下方に倒して支える遮光に優れ着脱容易な自動車前窓日除け。
【請求項２】
開き窓カバーの右上端の隅と本体の切れ込み部分の右上端の隅とを一点止め（ホック止め）とする。吊り下がり状と成るこの開き窓カバーの左上端を切り込み部分の左上端に架けて取り付ける請求項１の遮光に優れ着脱容易な自動車前窓日除け。
【請求項３】
開き窓カバーの広さは切れ込み部分を充分に上回るものとし、その左上端と右下方にこれを留める引っ掛け（鉤型）を設ける。
【請求項４】
開き窓カバーに本体の縦の折り目に沿う横の折り目を付けた請求項１の遮光に優れ着脱容易な自動車前窓日除け。
【発明の詳細な説明】
【技術分野】
【０００１】本発明は、主に自動車など車両の前面ガラス窓の内側に取り付ける日除けであって、遮光度が高く着脱が容易にできる日除けに関するものである。
【背景技術】
【０００２】従来、アルミ箔を蒸着した薄いシート状のものを縦に拾枚折りにたたんでいる。それを広げながら、上方部分の３個所ほどに設けられた吸盤をガラス面に押し付けて取り付けている。
【発明の開示】
【発明が解決しようとする課題】
【０００３】折りたたまれた日除けを広げながら取り付ける時、その上辺中央部が入り江状に凹んでいるのと、日除けシートの折り目が完全に伸張せず、その為そこ等の部分が良好な遮光とならない。吸盤とガラス面が埃などで汚れると取り付けが出来ない。取り外しの頻度が増すに従い、吸盤の脱落や遮光シートとの離反が常態化する。それにも増して吸盤の取り外しに手間取ることが多い。
本発明は、以上の問題点を解決し、遮光を選り確実にし、取り外しを容易に成されたものである。
【課題を解決するための手段】
【０００４】    前提として、窓枠の広さに従い幾つかの大きさの物をつくる。
１  収納容易と日光反射の為、拾枚折れの物とし、アルミ箔の生地にする。
２  日除けシートの縦面の中程が弛んで凹まぬ為に薄くて軽い材質の板にする。
３  日除けの上端中央にバックミラーの横幅と窓枠の端からバックミラーの下部辺を上回る縦長の切れ込み（開き窓）を設ける。
４  切れ込み（開き窓）部分を上回る広さの開き窓カバーを別に作成する。
５  その開き窓カバーの右上端の隅を、切れ込み部分（開き窓）の右側の本体部分の上端の隅の外側へ、吊り下げ状に一点付け（ホック付け）にする。
６  開き窓カバーの左上端と右下方の端に切れ込み部分を確実に覆って留める為の引っ掛け（鉤状の止め）を設ける。
７  開き窓カバーに本体の縦の折り目に沿った横の折り目を設けて、本体への収納と折りたたみを容易に。
８  切れ込み部分（開き窓）がバックミラーを越えたら、その右側にある窓開きカバーの左上端の引っ掛けをその左上端に架ける。
９  日除け本体の上端部を窓枠に沿わして、運転席と助手席の可動式遮光版を下方に倒して支える。
本発明は、以上の構成による遮光に優れ着脱容易な自動車前窓日除けである。
【発明の効果】
【０００５】    本発明を使用する度に遮光の程度が大きく感じられ、取り付け、取り外しが素早く簡単に出来る様に成る。
【発明を実施するための最良の形態】
【０００６】    以下、本発明の実施の形態を説明する。
窓枠の広さの違いに従い幾つかの大きさの物を造ることを前提とする。
１  収納容易のため、拾枚折れとし、日光を反射するアルミ箔生地にする。（図１）（図２）（図４）
２  日よけ本体の縦面の中程が弛んで凹まぬ位の軽くて薄い材質の板にする。
３  日除け本体の上部中央に室内バックミラーの左右幅を上回る横幅と窓枠の端から下方へ、室内バックミラーの下辺部までを上回る縦の長さを有する切れ込み（開き窓）（図１）（図）（２）を設ける。
４  切り込み部分を覆う為の開き窓カバー（薄板）（図３）を別途、作成し、その広さは切れ込み部分を充分上回るものにする。（図４）（４）
５  その開き窓カバーの右上端の隅を、切り込み部分の右側となる本体部分の上端の隅の外側（ガラス面側）へ吊り下げ状態に成る様一点止め（ホック止めの様）に成す。（図３）（６）（図４）（４）（６）
６  窓開きカバーの左上端と右下方の端に切れ込み部分を確実に覆って留める引っ掛け部分（鉤状の止め）を設ける。（図３）（図４）（図５）（５）
７  開き窓カバーにこれを収納した常態（吊り下げ）の位置に、本体の縦の折り目に沿う横の折り目を設ける。（図３）（図４）
８  取り付けは日除け本体の切り込み部分（開き窓）がバックミラーを越した所で、その右側に一点止めと引っ掛けにより、留まっている開き窓カバーの左上端の引っ掛け部分をその左端の上端に架ける。（図４）（図５）（５）
９  日除け本体の上端部の左右を窓枠に沿わして、運転席と助手席双方の可動式遮光板（図６）（１０）を下方に倒して支える。
本発明は以上の構成からなる。
本発明を使用する（取り付け、取り外し）ときは、
１  取り付けの始めは日除け本体中央の切れ込み部分を上向きに、そして、開き窓カバーが付帯している側面をガラス面にして前窓の台上に置く。
２  切り込み部分（開き窓）をバックミラーの横幅に合わせて広げる。
３  同じく、そこがバックミラーを越えた所で、その右側の開き窓カバーの右下方の引掛け（本体の右上端部に架かっている）（５）を右手指で外す。
４  続いて、同じく、右手指で開き窓カバーの左上端の引っ掛け部分（下方に吊り下がっている端（５）を引き挙げ、切り込み部分（開き窓）の左上端に架ける。（図２）（図４）
５  その後、日除けの上端部全体を窓枠に沿わして運転席と助手席側双方の可動式遮光板（図６）（１０）を下方に倒して支える。
６  取り外し方は遮光版を元の位置に戻し、日除け本体をバックミラーより手前に越さす。
７  開き窓カバーの引っ掛け部分を元の所に架け、日除け全体を折りたたむ。
【図面の簡単な説明】
【０００７】
【図１】本発明本体の伸縮半ばの斜視図
【図２】本発明を引き伸ばした状態の平面図
【図３】本発明の切り込み部分を覆う為の開き窓カバーの平面図
【図４】開き窓カバーの取り付け位置を表す平面図
【図５】切り込み部分を覆った状態を左右両側面から見た縦の断面図
【図６】本発明の取り付け完了時の平面図
【図７】開き窓カバーを切り込み部分に覆った状態の斜視図
【符号の説明】
【０００８】    １    日除けの本体
２    切れ込み部分
３    折り目
４    開き窓カバーの本体
５    開き窓カバーの引っ掛け部分
６    開き窓カバーの一点止め部分（吊り下げ用ホック止め）
７    前窓のガラス面
８    バックミラーの柄（ステー）
９    バックミラー本体
１０  可動式遮光版
【図１】
2008207778.tif 000003
【図２】
2008207778.tif 000004
【図３】
2008207778.tif 000005
【図４】
2008207778.tif 000006
【図５】
2008207778.tif 000007
【図６】
2008207778.tif 000008
【図７】
2008207778.tif 000009